(57)【要約】【課題】光源の種別を取得できる光源装置及びプロジェクターを提供すること。【解決手段】光源装置５は、光を出射する光源と、当該光源を内部に収納する光源用筐体６と、を備える。光源用筐体６は、当該光源用筐体６の表面に、導電性を有する導通部材６４を取付可能な取付部６２４を有し、導通部材６４は、光源の種別に応じて取付部６２４に取り付けられる。これによれば、当該光源装置が取り付けられる機器の端子に電気的に接続される導通部材の有無により、光源の種別を取得できるので、光源装置５が高温状態となる場合でも光源の種別を取得できる。【選択図】図５
2014209194.tif 000002
【特許請求の範囲】
【請求項１】
光を出射する光源と、
前記光源を内部に収納する光源用筐体と、を備え、
前記光源用筐体は、当該光源用筐体の表面に、導電性を有する導通部材を取付可能な取付部を有し、
前記導通部材は、前記光源の種別に応じて前記取付部に取り付けられる
ことを特徴とする光源装置。
【請求項２】
請求項１に記載の光源装置において、
前記光源用筐体は、
前記光源を内部に収納する筐体本体と、
前記筐体本体に取り付けられ、前記筐体本体内に導入される空気を導くダクト部材と、を有し、
前記取付部は、前記ダクト部材に設けられている
ことを特徴とする光源装置。
【請求項３】
請求項２に記載の光源装置において、
前記ダクト部材は、
内部に前記空気を導入する導入口と、
前記導入口から導入された前記空気を前記筐体本体における鉛直方向の一方側に導く第１ダクト部と、
前記導入口から導入された前記空気を前記筐体本体における鉛直方向の他方側に導く第２ダクト部と、を有し、
前記取付部は、前記第１ダクト部及び前記第２ダクト部の一方に設けられている
ことを特徴とする光源装置。
【請求項４】
請求項３に記載の光源装置において、
前記取付部は、前記ダクト部材において前記導入口側の位置に設けられている
ことを特徴とする光源装置。
【請求項５】
請求項１から請求項４のいずれかに記載の光源装置において、
前記導通部材は、板状の金属製部材である
ことを特徴とする光源装置。
【請求項６】
請求項１から請求項５のいずれかに記載の光源装置において、
前記光源用筐体は、供給された電力を前記光源に供給する接続部を備え、
前記接続部は、前記光源用筐体の底面部と、前記光源用筐体において光を出射する正面部及び前記底面部にそれぞれ交差する側面部における前記取付部より前記光源用筐体からの光の出射方向とは反対側の位置とのいずれかに配置される
ことを特徴とする光源装置。
【請求項７】
請求項１から請求項６のいずれかに記載の光源装置と、
前記光源装置から出射された光を変調する光変調装置と、
前記光変調装置により変調された光を投射する投射光学装置と、
前記光源装置、前記光変調装置及び前記投射光学装置を内部に収納する外装筐体と、
前記外装筐体に設けられ、前記光源装置を着脱自在に収納する光源収納部と、
前記外装筐体内の、前記光源収納部内に収納された前記光源装置の前記取付部に応じた位置に配置され、当該取付部に取り付けられる前記導通部材と電気的に接触して導通する端子部と、を有する
ことを特徴とするプロジェクター。
【請求項８】
請求項７に記載のプロジェクターにおいて、
前記端子部は、前記導通部材と接触して互いに導通される複数のばねスイッチを有する
ことを特徴とするプロジェクター。
【請求項９】
請求項８に記載のプロジェクターにおいて、
前記複数のばねスイッチは、少なくとも３つのばねスイッチを含み、
前記導通部材は、前記少なくとも３つのばねスイッチのうち、２つのばねスイッチと接触して当該２つのばねスイッチを導通させることを特徴とするプロジェクター。
【請求項１０】
請求項７から請求項９のいずれかに記載のプロジェクターにおいて、
前記端子部の導通状態に基づいて、前記光源の種別を判定する判定部と、
前記判定部による判定結果に応じて、当該プロジェクターの動作を制御する動作制御部と、を有する
ことを特徴とするプロジェクター。
【発明の詳細な説明】
【技術分野】
【０００１】
本発明は、光源装置及びプロジェクターに関する。
【背景技術】
【０００２】
従来、内部に設けられた光源装置から出射された光を変調して、画像情報に応じた画像を形成し、当該画像をスクリーン等の被投射面上に拡大投射するプロジェクターが知られている。このようなプロジェクターでは、光源装置を構成する発光管が寿命を迎えた場合等のために、当該光源装置を交換可能に構成されていることが一般的である。そして、装着された発光管（放電ランプ）のタイプに応じて、当該発光管を適切な制御シーケンスで点灯させるプロジェクターが知られている（例えば、特許文献１参照）。
【０００３】
この特許文献１に記載のプロジェクターでは、ランプユニットにランプタイプ検出器を設け、当該ランプタイプ検出器がランプタイプを検出して、プロジェクターのマイクロコンピューターに通知する。マイクロコンピューターは、通知されたランプタイプに応じたランプタイプ指示信号を出力し、ランプ点灯回路の制御回路は、予め備えた複数のランプタイプに対応した制御シーケンスから、入力されるランプタイプ指示信号に応じた制御シーケンスを選択し、当該制御シーケンスに基づいて発光管を点灯させる。これにより、発光管を最適な状態で点灯させることができる。
なお、当該プロジェクターでは、ランプユニットの任意の位置に突起を設け、当該突起と対になるスイッチを本体受け側に設け、突起の位置とスイッチの位置とを複数設けておくことで、ランプのタイプを取得することが例示されている。
【先行技術文献】
【特許文献】
【０００４】
【特許文献１】特開２００４−１２７７８号公報
【発明の概要】
【発明が解決しようとする課題】
【０００５】
ところで、点灯時の放電ランプは、非常に高温となり、当該放電ランプを内部に収納するハウジング（収納体）も高温となる。
このため、上記特許文献１に記載のプロジェクターのように、ランプユニットに設けられた突起と対になるスイッチが、当該突起により押圧されることでランプタイプを取得する構成である場合、収納体の熱によって突起が変形する可能性がある。このような場合、ランプタイプ（発光管の種別）を適切に取得できず、発光管を最適な状態で点灯させることができないという問題がある。
【０００６】
本発明は、光源の種別を取得できる光源装置及びプロジェクターを提供することを目的の１つとする。
【課題を解決するための手段】
【０００７】
本発明の第１態様に係る光源装置は、光を出射する光源と、前記光源を内部に収納する光源用筐体と、を備え、前記光源用筐体は、当該光源用筐体の表面に、導電性を有する導通部材を取付可能な取付部を有し、前記導通部材は、前記光源の種別に応じて前記取付部に取り付けられることを特徴とする。
【０００８】
なお、光源としては、超高圧水銀ランプ等の放電発光型の光源ランプを例示できる。
上記第１態様によれば、上記光源装置が装着される電子機器が、導通部材と電気的に接続可能な端子を備えていれば、光源装置に設けられた導通部材と接続されることによって当該端子が導通状態となる場合と、導通部材が設けられていないことによって当該端子が導通状態とならない場合とを区別できる。そして、当該導通部材は、光源の種別に応じて取り付けられるので、端子が導通状態であるか否かを判定することにより、光源装置を構成する光源の種別を取得できる。
また、光源の種別は、上記端子と接触して当該端子を導通状態とする導通部材の有無により示されるので、光源装置に導通部材が設けられている場合には、当該導通部材に上記端子が接続されれば、光源の種別を取得できる。従って、光源装置に生じる熱の影響により、光源の種別が取得しづらくなることを抑制できる。
更に、光源の種別に応じて導通部材を取付部に取り付けることで、当該光源の種別を示すことができるので、光源の種別に応じた光源用筐体を個別に製造する必要がない。従って、光源の種別を簡易に示すことができる。
【０００９】
上記第１態様では、前記光源用筐体は、前記光源を内部に収納する筐体本体と、前記筐体本体に取り付けられ、前記筐体本体内に導入される空気を導くダクト部材と、を有し、前記取付部は、前記ダクト部材に設けられていることが好ましい。
ここで、光源の点灯時には、当該光源は高温となる一方で、当該光源の高温状態が続くと劣化が進むことから、光源を冷却する必要がある。
これに対し、光源を内部に収納する筐体本体に、当該筐体本体内に導入される空気を導くダクト部材を設けることで、当該空気を光源に適切に導くことができ、光源を冷却できる。
また、ダクト部材は、内部を空気が流通することで、光源に近い筐体本体に比べて温度が低い。このため、当該ダクト部材に上記取付部を設けることで、熱による取付部の変形を抑制できる。従って、導通部材を安定して取り付けることができ、当該導通部材と上記端子とを確実に接触させることができる。
【００１０】
上記第１態様では、前記ダクト部材は、内部に前記空気を導入する導入口と、前記導入口から導入された前記空気を前記筐体本体における鉛直方向の一方側に導く第１ダクト部と、前記導入口から導入された前記空気を前記筐体本体における鉛直方向の他方側に導く第２ダクト部と、を有し、前記取付部は、前記第１ダクト部及び前記第２ダクト部の一方に設けられていることが好ましい。
【００１１】
ここで、光源の点灯時には、発光物質が封入された発光部における鉛直方向上部が高温となるので、失透の発生を抑制するためには、当該鉛直方向上部を効果的に冷却する必要がある。
これに対し、第１ダクト部及び第２ダクト部が、導入口を介して内部に導入した空気を、筐体本体における鉛直方向の一方側及び他方側に導くことにより、いずれかのダクト部内を流通した空気を、光源における上記鉛直方向上部に導きやすくすることができる。従って、光源を効果的に冷却できる。
また、このような第１ダクト部及び第２ダクト部の一方に上記取付部が設けられていることにより、当該取付部の温度を低く保つことができる。従って、熱による取付部の変形を抑制できるので、導通部材の安定した取り付け、及び、導通部材と上記端子との接触を確実に実施できる。
【００１２】
上記第１態様では、前記取付部は、前記ダクト部材において前記導入口側の位置に設けられていることが好ましい。
なお、ダクト部材において導入口側の位置とは、例えば、光源用筐体が、ダクト部材によって筐体本体内に導入されて光源を冷却した空気を排出する排出口を有する場合には、当該排出口より導入口側の位置を挙げることができる。
上記第１態様によれば、ダクト部材において取付部が位置する部位には温度が比較的低い空気が流通するので、当該取付部の温度を確実に低く保つことができる。従って、熱による取付部の変形を確実に抑制でき、導通部材の安定した取り付け、及び、導通部材と上記端子との接触を確実に実施できる。
【００１３】
上記第１態様では、前記導通部材は、板状の金属製部材であることが好ましい。
上記第１態様によれば、導通部材が金属製部材であるので、熱による導通部材の変形を抑制できる。また、当該導通部材は板状であるので、導通部材を設けることによる光源装置の大型化を抑制できる。
【００１４】
上記第１態様では、前記光源用筐体は、供給された電力を前記光源に供給する接続部を備え、前記接続部は、前記光源用筐体の底面部と、前記光源用筐体において光を出射する正面部及び前記底面部にそれぞれ交差する側面部における前記取付部より前記光源用筐体からの光の出射方向とは反対側の位置とのいずれかに配置されることが好ましい。
なお、接続部は、光源装置が接続される電子機器に設けられ、当該光源装置に電力を供給する接続端子と接続されるコネクターを例示できる。
【００１５】
ここで、光源装置が電子機器（例えば、プロジェクター）の光源収納部に挿入されて装着される際には、以下の第１〜第３の装着方法が考えられる。
第１の装着方法は、光源装置が、光源用筐体の底面部側から、上記光の出射方向に対する直交方向に沿って挿入される装着方法である。
第２の装着方法は、光源装置が、上記底面部に交差する側面部側から、上記光の出射方向に対する直交方向に沿って挿入される装着方法である。
第３の装着方法は、光源装置が、正面部側から、上記光の出射方向に沿って挿入される装着方法である。
そして、光源用筐体の底面部に接続部が設けられていれば、上記第１〜第３の装着方法のいずれかが適用される場合でも、当該接続部を上記光源収納部に設けられた接続端子に接続できる他、光源収納部への光源装置の装着とともに、これら接続部及び接続端子の接続を実現することが可能である。
また、正面部及び底面部にそれぞれ交差する側面部における取付部より上記光の出射方向とは反対側の位置に接続部が設けられていれば、第１の装着方法が適用される場合に、当該接続部が底面部に設けられている場合と同様の効果を奏することができる。
そして、当該第１〜第３の装着方法が適用される光源装置に上記取付部が設けられていることにより、いずれの装着方法で装着される光源装置の種別を確実に取得できる。
【００１６】
本発明の第２態様に係るプロジェクターは、前述の光源装置と、前記光源装置から出射された光を変調する光変調装置と、前記光変調装置により変調された光を投射する投射光学装置と、前記光源装置、前記光変調装置及び前記投射光学装置を内部に収納する外装筐体と、前記外装筐体に設けられ、前記光源装置を着脱自在に収納する光源収納部と、前記外装筐体内の、前記光源収納部内に収納された前記光源装置の前記取付部に応じた位置に配置され、当該取付部に取り付けられる前記導通部材と電気的に接触して導通する端子部と、を有することを特徴とする。
上記第２態様によれば、上記光源装置と、当該光源装置に取付可能な導通部材と電気的に接触して導通する端子部を有するので、前述の光源装置と同様の効果を奏することができる。
【００１７】
上記第２態様では、前記端子部は、前記導通部材と接触して互いに導通される複数のばねスイッチを有することが好ましい。
上記第２態様によれば、各ばねスイッチのばね力（付勢力）により、光源収納部に収納された光源装置の取付部に当該ばねスイッチを押圧することができる。従って、導通部材の有無に応じて、複数のばねスイッチの導通状態と非導通状態とを確実に切り替えることができるので、光源の種別を確実かつ適切に取得できる。
【００１８】
上記第２態様では、前記複数のばねスイッチは、少なくとも３つのばねスイッチを含み、前記導通部材は、前記少なくとも３つのばねスイッチのうち、２つのばねスイッチと接触して当該２つのばねスイッチを導通させることが好ましい。
上記第２態様では、例えば、３つのばねスイッチのうちの２つを導通部材が導通させ、各ばねスイッチの導通状態及び非導通状態と光源の種別とを対応させることで、導通部材が設けられていることにより示される光源の種別を増やすことができる。従って、複数の光源の種別を簡易な構成で示すことができる。
【００１９】
上記第２態様では、前記端子部の導通状態に基づいて、前記光源の種別を判定する判定部と、前記判定部による判定結果に応じて、当該プロジェクターの動作を制御する動作制御部と、を有することが好ましい。
上記第２態様によれば、判定部が、端子部の導通状態に基づいて光源の種別を判定し、動作制御部が、当該判定部による判定結果に応じて、プロジェクターの動作を制御する。これによれば、光源の種別に応じた点灯方式で当該光源を点灯させることができる他、光源装置を冷却する冷却装置が設けられている場合には、当該冷却装置の駆動状態を制御できる。従って、光源を適切な点灯方式で点灯させることができ、光源の点灯始動性を向上させることができる他、当該光源の長寿命化を図ることができる。
【図面の簡単な説明】
【００２０】
【図１】本発明の第１実施形態に係るプロジェクターの構成を示す模式図。
【図２】前記第１実施形態における光源及び主反射鏡を示す断面図。
【図３】前記第１実施形態における光源装置を示す斜視図。
【図４】前記第１実施形態における光源装置を示す側面図。
【図５】前記第１実施形態における光源装置を示す斜視図。
【図６】前記第１実施形態における光源収納部を示す平面図。
【図７】前記第１実施形態における電力供給部及び制御部の構成を示すブロック図。
【図８】本発明の第２実施形態に係るプロジェクターが有する基板上のばねスイッチを示す図。
【発明を実施するための形態】
【００２１】
［第１実施形態］
以下、本発明の第１実施形態について、図面に基づいて説明する。
［プロジェクターの概略構成］
図１は、本実施形態に係るプロジェクター１の構成を示す模式図である。
本実施形態に係るプロジェクター１は、内部に設けられた光源装置５から出射された光を変調して、画像情報に応じた画像を形成し、当該画像をスクリーン等の被投射面（図示省略）に投射する画像表示装置である。プロジェクター１は、図１に示すように、当該プロジェクター１の外装を構成する平面視略矩形状の外装筐体２と、当該外装筐体２内に収納配置される装置本体３とを備える。
【００２２】
［外装筐体の構成］
外装筐体２は、プロジェクター１の天面（図示省略）、正面２Ｂ、背面２Ｃ、左側面２Ｄ、右側面２Ｅ及び底面（図示省略）を形成し、当該底面には、図示を省略したが、複数の脚部が設けられている。そして、底面が鉛直方向下方を向くように配置されることで、プロジェクター１は正置き姿勢となり、また、正置き姿勢とは上下を逆にして底面が鉛直方向上方を向くように配置されることで、プロジェクター１は、逆置き姿勢となる。
また、外装筐体２は、後述する光源装置５を着脱自在に収納する光源収納部２１（図６参照）を内部に有する。光源収納部２１の構成は、後に詳述する。
【００２３】
［装置本体の構成］
装置本体３は、光学ユニット４及び冷却装置７を備える。また、図１では図示を省略したが、装置本体３は、プロジェクター１の各構成部材に電力を供給する電力供給部８と、プロジェクター１の動作を制御する制御部９（ともに図７参照）とを備える。
冷却装置７は、複数のファン７１〜７３を有し、外装筐体２外から導入した空気を送風して光学ユニット４、電力供給部８及び制御部９を冷却する。これらファン７１〜７３のうち、ファン７１は、例えば、外装筐体２に形成された吸気口（図示省略）から外部の空気を導入し、当該空気を後述する電気光学装置４４に送風するシロッコファンである。
【００２４】
また、後述する光源装置５側に配置され、背面２Ｃ側に位置するファン７２は、例えばシロッコファンで構成され、外装筐体２内の空気を吸引して、光源装置５に送風する。また、ファン７３は、例えば軸流ファンで構成され、光源装置５及び他の冷却対象を冷却した空気を吸引して、正面２Ｂ側に排出し、ひいては、当該空気を正面２Ｂに形成された排気口２Ｂ１を介して外装筐体２外に排出する。なお、ファン７２は軸流ファンであってもよく、ファン７３はシロッコファンであってもよい。また、排気口２Ｂ１は、外装筐体２のどの面に形成されていてもよい。
【００２５】
［光学ユニットの構成］
光学ユニット４は、制御部９による制御の下、画像情報に応じた画像を形成及び投射する。光学ユニット４は、光源装置５、照明装置４１、色分離装置４２、リレー装置４３、電気光学装置４４、投射光学装置４５及び光学部品用筐体４６を備える。
【００２６】
図２は、光源５１及び主反射鏡５２を示す断面図である。
光源装置５は、光源ランプである光源５１と、当該光源５１に取り付けられる主反射鏡５２と、平行化レンズ５３と、これらを内部に収納する光源用筐体６とを備える。なお、光源用筐体６の構成については、後に詳述する。
光源５１は、図２に示すように、略球状に膨出する発光部５１１１と、当該発光部５１１１の両端から互いに離間する方向に延出する一対の封止部５１１２，５１１３（図２における主反射鏡５２側の封止部を５１１２、当該主反射鏡５２側とは反対側の封止部を５１１３とする）とを有する発光管５１１を備える。
【００２７】
発光部５１１１の内部には、タングステンにより形成された一対の電極Ｅ（Ｅ１，Ｅ２）が配置され、当該一対の電極Ｅ１，Ｅ２間には、水銀、希ガス及びハロゲンを含む発光物質が封入された放電空間Ｓが形成されている。
一対の封止部５１１２，５１１３の内部には、電極Ｅ１，Ｅ２とそれぞれ電気的に接続されるモリブデン製の金属箔５１２，５１３が挿入され、当該一対の封止部５１１２，５１１３における発光部５１１１とは反対側の端部は、ガラス材料等で封止されている。これら各金属箔５１２，５１３には、発光管５１１の外部まで延出する電極引出線５１４，５１５がそれぞれ接続され、これら電極引出線５１４，５１５に対して、電圧を印加すると、発光部５１１１内部が発光する。
【００２８】
発光管５１１には、発光部５１１１から封止部５１１３側に出射された光を主反射鏡５２側に反射させる副反射鏡５４が固定されている。副反射鏡５４は、封止部５１１３が挿通される開口部５４１１を有する略円筒状の首状部５４１と、当該首状部５４１から拡がる凹曲面状の反射面５４２１を有する反射部５４２とを備える。
【００２９】
主反射鏡５２は、入射された光を反射させて、照明光軸Ａ上の焦点位置に収束させるものであり、封止部５１１２に接着剤Ｂにより固定される。主反射鏡５２は、封止部５１１２が挿通される開口部５２１１を有する略円筒状の首状部５２１と、当該首状部５２１から拡がる凹曲面状の反射面５２２１を有する反射部５２２とを備える。なお、反射部５２２は、本実施形態では、可視光を反射し、かつ、赤外線及び紫外線を透過するコールドミラーとして形成されている。
【００３０】
トリガー線５５は、発光管５１１の点灯性を向上するための始動補助線であり、一端が封止部５１１２にコイル状に巻回され、中央が発光部５１１１、副反射鏡５４及び封止部５１１３に沿ってこれらの外側に配置され、他端が接続部５１６を介して電極引出線５１５に接続される。接続部５１６には、反射部５２２における外縁近傍に形成された挿通孔５２２２を介して、当該主反射鏡５２の外部に延出するリード線５１７の一端が接続され、当該リード線５１７の他端は、電極引出線５１５及びトリガー線５５に電圧を印加するための端子５６に接続される。
【００３１】
図１に戻り、照明装置４１は、光源装置５から入射される光により、後述する各液晶パネル４４２の画像形成領域を均一に照明するものであり、２つのレンズアレイ４１１，４１２、偏光変換素子４１３及び重畳レンズ４１４を備える。
色分離装置４２は、照明装置４１から入射される光を、赤、緑及び青の各色光に分離するものであり、ダイクロイックミラー４２１，４２２及び反射ミラー４２３を備える。
リレー装置４３は、他の色光の光路より長い赤色光の光路上に設けられて光の損失を抑制するものであり、入射側レンズ４３１、リレーレンズ４３３及び反射ミラー４３２，４３４を備える。
【００３２】
電気光学装置４４は、入射される赤、緑及び青の各色光を色光毎に変調した後、当該各色光を合成して画像を形成する。電気光学装置４４は、フィールドレンズ４４１と、光変調装置としての３つの液晶パネル４４２（赤色光用、緑色光用及び青色光用の液晶パネルをそれぞれ４４２Ｒ，４４２Ｇ，４４２Ｂとする）と、それぞれ３つの入射側偏光板４４３、視野角補償板４４４及び出射側偏光板４４５と、色合成装置としてのクロスダイクロイックプリズム４４６とを備える。
投射光学装置４５は、筒状の鏡筒内に複数のレンズが収納された組レンズとして構成され、電気光学装置４４により形成された画像を投射面上に拡大投射する。
【００３３】
光学部品用筐体４６は、内部に設定された照明光軸Ａに対する所定位置に光源装置５及び各装置４１〜４４を収納する平面視略Ｌ字状の筐体である。光学部品用筐体４６の一端側（右側面２Ｅ寄りの正面２Ｂ側）には投射光学装置４５を支持する支持部材（図示省略）が接続される。なお、光学部品用筐体４６における上部には、各光学部品を内部に収納するための開口部が形成されており、当該開口部は、蓋部により閉塞される。
【００３４】
光学ユニット４では、前述の構成により、光源装置５から出射された光は、照明装置４１により照明領域内の照度が均一化されつつ、色分離装置４２により赤、緑及び青の各色光に分離される。これら各色光は、対応する液晶パネル４４２により変調された後、クロスダイクロイックプリズム４４６にて合成され、投射光学装置４５により投射される。
【００３５】
［光源用筐体の構成］
図３は、光源装置５を示す斜視図である。なお、以降の説明及び図において、Ｚ方向は、光源装置５から出射される光の進行方向を示し、Ｘ方向及びＹ方向は、当該Ｚ方向にそれぞれ直交し、かつ、互いに直交する方向を示している。そして、Ｚ方向が水平方向に沿い、かつ、後述する第１面部６１１Ａが上方を向くように配置された場合（後述する通常配置状態に光源装置５が配置された場合）に、光源装置５における鉛直方向上側を向く方向をＹ方向とし、Ｚ方向側から見て左から右に向かう方向をＸ方向とする。
光源装置５は、前述のように、光源５１、主反射鏡５２及び平行化レンズ５３と、これらを内部に収納する光源用筐体６とを備えたユニットとして構成されている。
光源用筐体６は、図３に示すように、ガラスフィラーが含まれる合成樹脂により形成された筐体本体６１と、当該筐体本体６１の側面に取り付けられる合成樹脂製のダクト部材６２とを備える。そして、これらにより、光源用筐体６の天面部６Ａ、側面部６Ｂ，６Ｄ、底面部６Ｃ、正面部６Ｅ及び背面部６Ｆが形成される。
【００３６】
［筐体本体の構成］
筐体本体６１は、第１本体部６１１と第２本体部６１２とを有し、これらが組み合わされて光源５１及び主反射鏡５２を内部に収納する。
第１本体部６１１は、光源５１及び主反射鏡５２に対して光の進行方向側（Ｚ方向側）に位置し、光源５１の発光部５１１１及び封止部５１１３を覆う。第１本体部６１１には、光源５１及び主反射鏡５２から出射された光が透過する開口部（図示省略）が形成されている。この開口部には、平行化レンズ５３が嵌め込まれ、当該平行化レンズ５３を固定する板ばね６３が、第１本体部６１１における光の進行方向側（Ｚ方向側）の端部に取り付けられる。
【００３７】
このような第１本体部６１１は、第１面部６１１Ａ、第２面部６１１Ｂ、第３面部６１１Ｃ、第４面部６１１Ｄ及び第５面部６１１Ｅを有する。第１面部６１１Ａ及び第３面部６１１Ｃは、それぞれＹ方向側及びＹ方向とは反対側の面であり、それぞれ、上記天面部６Ａ及び上記底面部６Ｃを構成する。第２面部６１１Ｂ及び第４面部６１１Ｄは、それぞれＸ方向側及びＸ方向とは反対側の面であり、上記側面部６Ｂ及び上記側面部６Ｄをそれぞれ構成する。また、第５面部６１１Ｅは、Ｚ方向側の面であり、光が出射される上記正面部６Ｅを構成する。
【００３８】
第１面部６１１Ａには、光源装置５を把持するための第１把持部６１１１が設けられている。
第２面部６１１Ｂは、第１面部６１１Ａと、板ばね６３が取り付けられる第５面部６１１Ｅとのそれぞれと交差する側面であり、第１面部６１１Ａが上方又は下方を向くように配置された際に、第４面部６１１Ｄとともに鉛直面に沿う面である。この第２面部６１１Ｂには、図示を省略するが、光源５１における封止部５１１３側の端部を冷却する空気を第１本体部６１１内に導入するスリットが形成されている。また、第２面部６１１Ｂには、後述するダクト部材６２が取り付けられる。
【００３９】
図４は、光源装置５を第４面部６１１Ｄ側（すなわち第２面部６１１Ｂとは反対側）から見た側面図である。
第４面部６１１Ｄは、ダクト部材６２が取り付けられる第２面部６１１Ｂとは反対側に位置する。この第４面部６１１Ｄには、当該ダクト部材６２により筐体本体６１内に導入されて、当該筐体本体６１内の発光管５１１を冷却した空気を排出する排出口６１３が形成されている。この排出口６１３の形成位置は、第２面部６１１Ｂにおけるダクト部材６２の配置位置に応じた第４面部６１１Ｄの位置で、かつ、光源用筐体６内に収納された発光管５１１の封止部５１１３に応じた位置である。すなわち、光源用筐体６においては、排出口６１３とは反対側の位置にダクト部材６２が取り付けられる。
【００４０】
第２本体部６１２は、図３及び図４に示すように、光源５１及び主反射鏡５２に対して光の進行方向と反対側（Ｚ方向とは反対側）に位置し、主反射鏡５２における反射面５２２１とは反対側の面を覆う。
第２本体部６１２の第１面部６１２Ａ（Ｙ方向側の面）は、第１面部６１１Ａとともに天面部６Ａを構成する。この第１面部６１２Ａには、第１把持部６１１１とともに使用者により把持される第２把持部６１２１が設けられている。
第２本体部６１２の第２面部６１２Ｂ（Ｘ方向側の面）は、図３に示すように、第２面部６１１Ｂとともに側面部６Ｂを構成する。この第２面部６１２Ｂには、主反射鏡５２を冷却する空気を第２本体部６１２内に導入する開口部６１２２が形成されている。また、当該第２面部６１２Ｂには、端子５６及び電極引出線５１４と接続される接続部としてのコネクター６１２３が設けられている。このコネクター６１２３は、取付部６２４よりＺ方向（光源装置５からの光の出射方向）とは反対側に位置している。
第２本体部６１２の第４面部６１２Ｄ（Ｘ方向とは反対側の面）は、図４に示すように、第４面部６１１Ｄとともに側面部６Ｄを構成する。この第４面部６１２Ｄには、開口部６１２２から第２本体部６１２内に導入されて主反射鏡５２の背面側を冷却した空気が第２本体部６１２外に排出される開口部６１２４が形成されている。
【００４１】
［ダクト部材の構成］
ダクト部材６２は、図３に示すように、光の進行方向側（Ｚ方向側）から見て横向きの略Ｕ字状に形成されており、前述のように、第１面部６１１Ａ，６１２Ａが上方を向くように配置された光源装置５の状態（図３に示す状態。以下、通常配置状態という）で鉛直面に沿う第２面部６１１Ｂと、第１面部６１１Ａ及び第３面部６１１Ｃにおける第２面部６１１Ｂ側の一部とに跨るように取り付けられる。ダクト部材６２は、導入口６２１、第１ダクト部６２２及び第２ダクト部６２３を有する。
導入口６２１は、通常配置状態でダクト部材６２における鉛直方向略中央に矩形状に形成されている。導入口６２１は、ファン７２から吐出された空気をダクト部材６２内に導入する。
【００４２】
第１ダクト部６２２及び第２ダクト部６２３は、導入口６２１から導入された空気を第１本体部６１１における第１面部６１１Ａ側、及び、当該第１面部６１１Ａとは反対側の第３面部６１１Ｃ（Ｙ方向とは反対側の面）側に導く。
具体的に、第１ダクト部６２２は、通常配置状態で導入口６２１から鉛直方向上側（Ｙ方向側）に延出し、かつ、第２面部６１１Ｂに近接する方向（Ｘ方向とは反対側）に屈曲している。そして、第１ダクト部６２２の一端部は、当該第２面部６１１Ｂに形成された上方側開口部（図示省略）と連通するように、第２面部６１１Ｂに接続される。第１ダクト部６２２内を流通した空気は、当該上方側開口部を介して第１本体部６１１内に導入され、主に発光部５１１１に向けて送風される。
【００４３】
また、第２ダクト部６２３は、通常配置状態で導入口６２１から鉛直方向下側（Ｙ方向とは反対側）に延出し、かつ、第２面部６１１Ｂに近接する方向（Ｘ方向とは反対側）に屈曲している。そして、第２ダクト部６２３の一端部は、当該第２面部６１１Ｂに形成された下方側開口部（図示省略）と連通するように、第２面部６１１Ｂに接続される。第２ダクト部６２３内を流通した空気は、当該下方側開口部を介して第１本体部６１１内に導入され、主に発光部５１１１に向けて送風される。
【００４４】
ここで、図示を省略するが、ダクト部材６２は、導入口６２１に応じた位置に分流部材を有する。分流部材は、一端が第１本体部６１１及びダクト部材６２により回動自在に支持され、他端が当該一端の回動軸を中心に自重により回動可能に構成された板状部材である。分流部材には、当該分流部材を貫通する孔部が形成されている。
分流部材における他端が自重によって回動することで、ダクト部材６２内に導入された空気のうち、一部の空気は、流通方向が鉛直方向上方に変更されて、第１ダクト部６２２及び第２ダクト部６２３のうち、プロジェクター１の姿勢に応じて鉛直方向上方に位置するダクト部に導かれる。すなわち、分流部材は、空気の流路を切り替える部材としても機能する。一方、当該ダクト部材６２内に導入された空気のうち、一部の空気は、分流部材に形成された孔部を通過して、鉛直方向下方に位置するダクト部に導かれる。
なお、本実施形態では、鉛直方向上方に位置するダクト部への空気の流量は、鉛直方向下方に位置するダクト部への空気の流量より多くなるように、板状部材の孔部の大きさ及び数が設定されている。
【００４５】
［ダクト部材内に導入された空気の流路］
導入口６２１によりダクト部材６２内に導入された空気は、以下の第１〜第３流路に分かれて流通する。
第１流路は、導入口６２１より導入された空気の一部が、第２面部６１１Ｂに形成されたスリットを介して第１本体部６１１内に流入し、光源５１の封止部５１１３側の領域に向かい、当該領域を冷却する流路である。
第２流路は、導入口６２１より導入された空気の一部が、分流部材により導かれて鉛直方向上方に位置するダクト部を流通し、当該ダクト部が連通する開口部を介して第１本体部６１１内に流入し、光源５１の発光部５１１１に向かい、当該発光部５１１１を上方から冷却する流路である。
第３流路は、導入口６２１より導入された空気の一部が、分流部材の孔部を通過して鉛直方向下方に位置するダクト部を流通し、当該ダクト部が連通する開口部を介して第１本体部６１１内に流入し、光源５１の発光部５１１１に向かい、当該発光部５１１１を下方から冷却する流路である。
【００４６】
ここで、分流部材により、第２流路に流通する空気の流量が第３流路に流通する空気の流量より多いため、発光部５１１１において鉛直方向下部より温度が高い鉛直方向上部を効果的に冷却できる。また、鉛直方向下部も冷却されることから、発光部５１１１全体を効果的に冷却できる。
このような構成により、プロジェクター１が正置き姿勢及び逆置き姿勢のいずれの姿勢であっても、光源５１を効果的に冷却できる。
【００４７】
［取付部の構成］
図５は、通常配置状態にある光源装置５を下側（Ｙ方向とは反対側）から見た斜視図である。
ダクト部材６２には、図５に示すように、略Ｕ字状の導通部材６４をねじＳＣにより取付可能な取付部６２４が設けられている。具体的に、第２ダクト部６２３における第１ダクト部６２２側とは反対側の端部（Ｙ方向とは反対側の端部）には、当該端部から外側（Ｘ方向側）に突出する突出部６２５が設けられている。取付部６２４は、当該突出部６２５における第１ダクト部６２２側とは反対側の面（Ｙ方向とは反対側の面）に設けられ、平坦に形成されている。
【００４８】
このような取付部６２４の設置位置は、ダクト部材６２において、比較的温度が低い位置である。具体的に、取付部６２４は、ダクト部材６２において導入口６２１側の位置（導入口６２１に近い位置）に設置されている。換言すると、取付部６２４は、光源用筐体６において、上記排出口６１３（図４参照）が形成された側面部６Ｄ（第４面部６１１Ｄ）とは反対側の位置であり、当該排出口６１３より導入口６２１に近い位置に設置されている。そして、ダクト部材６２内には、光源用筐体６の外部からダクト部材６２内に導入された比較的温度の低い空気が流通することにより、当該ダクト部材６２における取付部６２４に応じた部位の温度を低く保つことができ、ひいては、取付部６２４の温度を低く保つことができる。
【００４９】
［導通部材の構成］
導通部材６４は、後述するばねスイッチ２１３２（図６参照）が当接される端子となる板状の金属製部材である。導通部材６４は、光源５１の種別に応じて取付部６２４に取り付けられる。具体的に、それぞれ駆動方式が異なる２種の光源のうち、一方の光源が光源装置５に用いられる場合に、取付部６２４に導通部材６４が取り付けられ、他方の光源が用いられる場合には、導通部材６４は取付部６２４に取り付けられない。
なお、取付部６２４には、図５に示すように、Ｙ方向とは反対側に突出する回動規制部６２４１が設けられている。回動規制部６２４１は、導通部材６４に設けられた凹部６４１に嵌まり、導通部材６４がねじ固定される際の回動が規制される。
【００５０】
［光源収納部の構成］
図６は、光源収納部２１を示す平面図である。なお、図６の二点鎖線は、光源収納部２１に収納された際の光源装置５の外形と、当該光源装置５を構成する光源５１及び主反射鏡５２の外形とを示している。
光源収納部２１は、前述のように、外装筐体２内において光源装置５が収納される部位である。この光源収納部２１は、図６に示すように、側壁２１１、コネクター２１２及び端子部２１３を有する。
【００５１】
側壁２１１は、外装筐体２の内面から起立している。側壁２１１は、光源装置５を光源収納部２１に案内するガイドとして機能する他、収納された光源装置５の揺動を規制する機能を有する。側壁２１１には、図示を省略するが、光源装置５を冷却する空気が流通する開口部が複数箇所に形成されている。例えば、ファン７２の吐出口に対応する位置には、導入口６２１を介してダクト部材６２内に導入される空気が通過する開口部が形成されている。
コネクター２１２は、光源収納部２１において、収納された光源装置５の光源用筐体６に設置されたコネクター６１２３に応じた位置に設けられ、当該コネクター６１２３と接続される。コネクター２１２は、電力供給部８（図７参照）と接続され、当該電力供給部８から供給されるランプ電力をコネクター６１２３に供給する。
【００５２】
端子部２１３は、光源装置５の取付部６２４又は取付部６２４に取り付けられた導通部材６４と接触して、光源装置５の種別、すなわち、光源５１の種別を検出する。端子部２１３は、光源収納部２１においてファン７２の配置位置近傍に設けられた基板２１３１と、当該基板２１３１上に設けられる２つのばねスイッチ２１３２とを有する。
基板２１３１は、２つのばねスイッチ２１３２の導通状態に応じた電圧レベルの信号を制御部９に出力する。
【００５３】
２つのばねスイッチ２１３２は、それぞれ、導通部材６４における略Ｕ字状の各先端部に接触する位置に設けられ、基板２１３１上のばねスイッチ２１３２が設けられる側とは反対方向（すなわち、取付部６２４に対してＹ方向）に付勢力を作用させるように構成されている。取付部６２４に導通部材６４が取り付けられた光源装置５が光源収納部２１に収納された場合、ばねスイッチ２１３２が導通部材６４と電気的に接続されて導通状態となると、基板２１３１から制御部９に出力される電圧レベルが変化する。一方、導通部材６４が取り付けられていない光源装置５が収納された場合、ばねスイッチ２１３２が導通状態とならず、基板２１３１から制御部９に出力される電圧レベルは変化しない。
このように、光源装置５の取付部６２４に導通部材６４が取り付けられているか否かに応じて、基板２１３１から制御部９に出力される信号の電圧レベルが変化するので、制御部９が、当該電圧レベルを取得することで、光源５１の種別を判別できる。
【００５４】
なお、ばねスイッチ２１３２は、図６に示すように、光源装置５において高温となる発光部５１１１から離れた位置で導通部材６４と接触する。換言すると、当該導通部材６４を取付可能な取付部６２４は、光源装置５において、発光部５１１１から離れた位置に設けられている。更に、当該取付部６２４は、光源装置５において比較的高温となる主反射鏡５２からも離れた位置に設けられている。加えて、当該取付部６２４は、上記のように、発光管５１１を冷却した空気が排出される排出口６１３が形成された側面部６Ｄ（第４面部６１１Ｄ）とは反対側の位置に設けられている。
このように、取付部６２４は、光源装置５において発光部５１１１及び主反射鏡５２の熱の影響が小さい位置、すなわち、光源装置５の中で比較的低温となる位置に設けられ、また、当該取付部６２４の位置に応じてばねスイッチ２１３２が設けられている。
【００５５】
なお、図６では図示を省略するが、光源収納部２１には、更に蓋検出部２１４及び光源検出部２１５（ともに図７参照）が設けられている。これらのうち、蓋検出部２１４は、光源収納部２１内に光源装置５を収納する外装筐体２の開口部を閉塞する蓋部材を検出する。また、光源検出部２１５は、光源収納部２１内での光源装置５の有無を検出する。
【００５６】
［電力供給部の構成］
図７は、電力供給部８及び制御部９の構成を示すブロック図である。
電力供給部８は、プロジェクター１の各構成部品に電力を供給する。電力供給部８は、図示を省略するが、電源ケーブルを介して外部から供給された商用交流電流を整流、平滑化及び昇圧する一次側電力供給系と、プロジェクター１の各構成部品に応じて一次側電力供給系から供給される電力を変圧して、当該各構成部品に電力を供給する二次側電力供給系とを有する。
【００５７】
［制御部の構成］
制御部９は、プロジェクター１の動作を制御するものであり、ＣＰＵ（Central Processing Unit）やメモリーが実装された回路基板等を備える。例えば、制御部９は、電力供給部８に、光源５１の種別に応じた駆動方式で当該光源５１を駆動させる。また、制御部９は、図７に示すように、メモリーにより構成される記憶部９１と、当該メモリーに記憶されたプログラムをＣＰＵが処理することで実現される判定部９２及び動作制御部９３とを有する。
記憶部９１は、プロジェクター１の動作に必要なプログラム及びデータを記憶している。例えば、記憶部９１は、光源５１の種別と、当該種別に応じた光源５１の駆動方式（例えば、駆動波形）とが関連付けられた点灯情報を記憶している。
【００５８】
判定部９２は、各種判定処理を実施する。例えば、判定部９２は、蓋検出部２１４による検出結果に基づいて、蓋部材が外装筐体２に装着されているか否か、すなわち、蓋部材が外装筐体２の光源装置５を収納する開口部を閉塞しているか否かを判定する。また、判定部９２は、光源検出部２１５による検出結果に基づいて、光源装置５が光源収納部２１内に収納されているか否かを判定する。そして、判定部９２は、蓋部材により外装筐体２の開口部が閉塞され、かつ、光源装置５が光源収納部２１内に収納されていると判定された場合に、端子部２１３から入力される信号に基づいて、光源５１の種別を判定する。なお、本実施形態では、当該信号の電圧レベルと光源５１の種別とが関連付けられているので、判定部９２は、当該電圧レベルに基づいて光源５１の種別を判定することとなる。
動作制御部９３は、判定部９２により判定された光源５１の種別に応じて、プロジェクター１の動作を制御する。例えば、動作制御部９３は、記憶部９１を参照して、光源５１の種別に応じた駆動方式を取得し、当該駆動方式に基づいて光源５１を点灯させる。
【００５９】
以上説明した本実施形態に係るプロジェクター１によれば、以下の効果がある。
光源用筐体６は、光源５１の種別に応じて導通部材６４を取付可能な取付部６２４を有する。これによれば、制御部９が、導通部材６４と電気的に接触可能な位置に設けられた２つのばねスイッチ２１３２の導通状態に基づいて、光源５１の種別を判定及び取得できる。従って、導通部材６４の有無により、光源５１の種別を識別できる。
また、光源５１から発せられる熱によって取付部６２４が変形してしまう場合でも、導通部材６４とばねスイッチ２１３２とが電気的に接続可能であれば、当該ばねスイッチ２１３２の導通状態に基づいて、光源５１の種別を取得できるので、光源装置５に生じる熱の影響により、光源５１の種別が取得しづらくなることを抑制できる。
更に、導通部材６４の有無により光源５１の種別を識別することができるので、当該光源５１の種別に応じて光源用筐体６を個別に製造する必要がない。すなわち、共通の光源用筐体６を使用することができる。従って、光源５１の種別を簡易に識別できる。
【００６０】
光源用筐体６は、光源５１を内部に収納する筐体本体６１と、当該筐体本体６１内に導入される空気を導くダクト部材６２とを備えるので、当該空気を光源５１に導くことができ、当該光源５１を冷却できる。
また、取付部６２４はダクト部材６２に設けられるので、高温となる光源５１から離れた位置に取付部６２４を配置でき、光源５１から発せられる熱の影響により取付部６２４が変形することを抑制できる。従って、導通部材６４を安定して取付部６２４に取り付けることができ、当該導通部材６４とばねスイッチ２１３２との接続を確保できる。
更に、ダクト部材６２は、内部を空気が流通するので、光源５１に近い位置に位置する筐体本体６１より温度が低くなる。このようなダクト部材６２に取付部６２４が設けられることで、熱による取付部６２４の変形を抑制できる。従って、導通部材６４を安定して取付部６２４に取り付けることができ、当該導通部材６４とばねスイッチ２１３２とを確実に接触させることができる。
【００６１】
プロジェクター１が設置される姿勢、すなわち、光源装置５の姿勢に応じて、第１ダクト部６２２及び第２ダクト部６２３のうち一方が、導入口６２１を介してダクト部材６２内部に導入した空気を筐体本体６１の鉛直方向上部に導き、開口部を介して筐体本体６１内に空気を流通させるので、当該空気により発光部５１１１の鉛直方向上部から冷却できる。従って、発光部５１１１の鉛直方向上部を効果的に冷却でき、光源５１の長寿命化を図ることができる。
また、取付部６２４は、内部を空気が流通する第２ダクト部６２３の端部に設けられているので、当該取付部６２４の温度を比較的低く保つことができる。従って、熱による取付部６２４の変形を抑制できるので、導通部材６４を安定して取り付けることができ、当該導通部材６４とばねスイッチ２１３２との接触を確実に実施できる。
【００６２】
更に、取付部６２４は、ダクト部材６２の第２ダクト部６２３における導入口６２１側の位置に設けられている。これによれば、ダクト部材６２において取付部６２４が位置する部位には、温度が比較的低い空気（光源用筐体６外の空気）が流通するので、当該取付部６２４の温度を確実に低く保つことができる。従って、熱による取付部６２４の変形を確実に抑制でき、導通部材６４の安定した取り付け、及び、当該導通部材６４とばねスイッチ２１３２との接触を確実に実施できる。
【００６３】
導通部材６４は、金属製部材であるので、熱による導通部材６４の変形を抑制できる。また、当該導通部材６４は板状であるので、導通部材６４を設けることによる光源装置５の大型化を抑制できる。
【００６４】
コネクター６１２３は、正面部６Ｅと底面部６Ｃとに交差する側面部６Ｂにおいて取付部６２４よりＺ方向とは反対側の位置に設けられている。これによれば、光源収納部２１への光源装置５の装着とともに、コネクター６１２３を光源収納部２１に設けられたコネクター２１２に接続できる。従って、出射される光の進行方向であるＺ方向に対する直交方向（Ｙ方向）に光源収納部２１に挿入されて装着される光源装置５でも、当該光源装置５の種別を確実に取得できる。
【００６５】
光源収納部２１に設けられる端子部２１３は、導通部材６４と接触して互いに導通される２つのばねスイッチ２１３２を有する。これによれば、当該各ばねスイッチ２１３２の付勢力（ばね力）により、取付部６２４及び当該取付部６２４に取り付けられた導通部材６４に対し、各ばねスイッチ２１３２を押圧できる。従って、導通部材６４の有無に応じて、２つのばねスイッチ２１３２の導通状態と非導通状態とを確実に切り替えることができ、制御部９が、光源５１の種別を確実かつ適切に取得できる。
【００６６】
プロジェクター１は、ばねスイッチ２１３２の導通状態に基づいて光源５１の種別を判定する判定部９２と、当該判定部９２による判定結果に応じて、プロジェクター１の動作を制御する動作制御部９３と、を有する。これによれば、動作制御部９３が、光源５１の種別に応じた駆動方式で当該光源５１を駆動させることができる。従って、光源５１の駆動始動性を向上させることができる他、長寿命化を図ることができる。
【００６７】
［第２実施形態］
以下、本発明の第２実施形態について説明する。
本実施形態に係るプロジェクターは、上記プロジェクター１と同様の構成を有するが、当該プロジェクター１では、基板２１３１に設けられた２つのばねスイッチ２１３２が導通部材６４により導通状態となるか否かに基づいて、制御部９が、光源５１の種別を判定した。これに対し、本実施形態に係るプロジェクターでは、基板に設けられた３つのばねスイッチが導通状態となるか否かだけでなく、導通状態となったばねスイッチがどれかに基づいて、制御部が光源の種別を判定する。この点で、本実施形態に係るプロジェクターと上記プロジェクター１とは相違する。なお、以下の説明では、既に説明した部分と同一又は略同一である部分については、同一の符号を付して説明を省略する。
【００６８】
図８は、本実施形態に係るプロジェクターが有する端子部２１３Ａが有する基板２１３１Ａに設けられたばねスイッチ２１３２を示す図である。
本実施形態に係るプロジェクターは、端子部２１３に代えて端子部２１３Ａが光源収納部２１に設けられる他は、上記プロジェクター１と同様の構成及び機能を有する。また、端子部２１３Ａは、２つのばねスイッチ２１３２が設けられた基板２１３１に代えて、図８に示すように、３つのばねスイッチ２１３２（２１３２Ａ，２１３２Ｂ，２１３２Ｃ）が設けられた基板２１３１Ａを有する他は、上記端子部２１３と同様の構成及び機能を有する。
【００６９】
基板２１３１Ａは、３つのばねスイッチ２１３２Ａ〜２１３２Ｃの導通状態に応じた電圧レベルの信号を制御部９に出力する。具体的に、基板２１３１Ａは、各ばねスイッチ２１３２Ａ〜２１３２Ｃが導通状態となっていない場合と、３つのばねスイッチ２１３２Ａ〜２１３２Ｃのうちの２つが導通状態となっている場合とで、異なる電圧レベルの信号を出力する。また、図８に一点鎖線で示す導通部材６４Ａにより、ばねスイッチ２１３２Ａ，２１３２Ｂが導通状態となっている場合と、図８に二点鎖線で示す導通部材６４Ｂにより、ばねスイッチ２１３２Ｂ，２１３２Ｃが導通部材６４Ｃにより導通状態となっている場合と、図８に点線で示す導通部材６４Ｃにより、ばねスイッチ２１３２Ａ，２１３２Ｃが導通状態となっている場合とで、それぞれ異なる電圧レベルの信号を出力する。なお、各導通部材６４Ａ〜６４Ｃは、上記導通部材６４と同様の構成を有する。
【００７０】
一方、取付部６２４には、内部に収納される光源５１の種別に応じて、導通部材６４Ａ〜６４Ｃが取り付けられないか、或いは、導通部材６４Ａ〜６４Ｃのいずれかが取り付けられる。
そして、制御部９を構成する判定部９２が、基板２１３１Ａから入力される信号の電圧レベルに基づいて、光源５１の種別を判定し、動作制御部９３が、判定部９２により判定された光源５１の種別に応じて、プロジェクター１の動作を制御する。
【００７１】
以上説明した本実施形態に係るプロジェクターによれば、上記プロジェクター１と同様の効果を奏することができる他、以下の効果を奏することができる。
基板２１３１Ａに設けられた３つのばねスイッチ２１３２Ａ〜２１３２Ｃのうちの２つを導通部材６４Ａ〜６４Ｃが導通させ、各ばねスイッチ２１３２Ａ〜２１３２Ｃの導通状態及び非導通状態と光源５１の種別とを対応させることで、導通部材６４Ａ〜６４Ｃが設けられている場合に示される光源５１の種別を増やすことができる。従って、複数の光源５１の種別を簡易な構成で示すことができる。
【００７２】
［変形例］
本発明は上記各実施形態に限定されるものではなく、本発明の目的を達成できる範囲での変形、改良等は本発明に含まれるものである。
上記各実施形態では、取付部６２４は、光源装置５に１つ設けられていたが、本発明はこれに限らない。すなわち、取付部６２４の数は適宜設定してよく、当該取付部６２４の数に応じて光源収納部２１に少なくとも２つのばねスイッチ２１３２をそれぞれ設ければよい。そして、取付部６２４の数に応じて、検出可能な光源５１の種別の数を増加させることができる。
【００７３】
上記第１実施形態では、ばねスイッチ２１３２は、基板２１３１上に２つ設けられ、上記第２実施形態では、ばねスイッチ２１３２は、基板２１３１Ａ上に３つ設けられたが、本発明はこれに限らない。例えば、基板２１３１上に４つ以上のばねスイッチが設けられ、当該４つ以上のばねスイッチ２１３２のうち２つが導通部材６４により導通することで出力される信号の電圧レベルに基づいて、光源５１の種別が判定されるように構成してもよい。また、３つ以上のばねスイッチ２１３２が同時に導通部材６４と接触する構成としてもよい。
【００７４】
上記各実施形態では、光源収納部２１に設けられた各ばねスイッチ２１３２は、Ｚ方向に沿って配列し、当該Ｚ方向にそれぞれ所定間隔を空けて配置されるとした。しかしながら、本発明はこれに限らない。例えば、各ばねスイッチ２１３２は、Ｘ方向に沿って配列し、当該Ｘ方向にそれぞれ所定間隔を空けて配置されていてもよい。この場合、底面部６Ｃ側からＹ方向とは反対方向に光源収納部２１に挿入して光源装置５を装着する場合でも、正面部６Ｅ側からＺ方向に光源収納部２１に挿入して光源装置５を装着させる場合でも、上記導通部材６４（６４Ａ〜６４Ｃ）を、対応する２つのばねスイッチ２１３２に接触させやすくすることができる。
【００７５】
上記各実施形態では、取付部６２４は、第２ダクト部６２３に設けられていたが、本発明はこれに限らない。例えば、取付部６２４は、第１ダクト部６２２に設けられていてもよく、当該取付部６２４の位置は、ダクト部材６２において導入口６２１側の位置でなくてもよい。また、取付部６２４は、ダクト部材６２ではなく、筐体本体６１に設けられていてもよい。この際、発光部５１１１から離れた位置であれば、当該発光部５１１１で生じた熱の影響を受けづらくすることができる他、コールドミラーとして構成された主反射鏡５２の裏面側（反射面５２２１とは反対側）でなければ、紫外線及び赤外線の影響を受けづらくすることができる。更に、筐体本体６１にダクトが形成されている場合には、当該ダクトに取付部６２４が設けられていてもよい。
【００７６】
上記各実施形態では、接続部としてのコネクター６１２３は、第２面部６１２Ｂを含む側面部６Ｂに設けられていた。しかしながら、本発明はこれに限らない。すなわち、コネクター６１２３の設置位置は、光源用筐体６のどの面でもよい。例えば、コネクター６１２３は、光源用筐体６の底面部６Ｃに設けられていてもよい。この場合、底面部６Ｃ側からＹ方向とは反対方向に光源収納部２１に挿入して光源装置５を装着する場合（上記第１の装着方法）でも、側面部６Ｂ側からＸ方向に光源収納部２１に挿入して光源装置５を装着する場合（上記第２の装着方法）、及び、側面部６Ｄ側からＸ方向とは反対方向に光源収納部２１に挿入して光源装置５を装着する場合（上記第２の装着方法）でも、正面部６Ｅ側からＺ方向に光源収納部２１に挿入して光源装置５を装着させる場合（第３の装着方法）のいずれの場合でも、コネクター６１２３を、当該光源収納部２１の底部に設けられたコネクター２１２に接続しやすくすることができる。
また、コネクター６１２３は、取付部６２４に対してＺ方向（光の出射方向）とは反対側でなくてもよく、Ｚ方向側に位置していてもよい。
【００７７】
上記各実施形態では、導通部材６４は、板状の金属製部材としたが、本発明はこれに限らず、２つのばねスイッチ２１３２と電気的に接触して、当該２つのばねスイッチ２１３２を導通状態とするものであれば、他の形状のものでもよく、また、他の材料により形成されたものでもよい。例えば、金属線や金属箔で導通部材を構成してもよく、導電性樹脂を塗布することなどして導通部材を構成してもよい。更に、導通部材として抵抗を有する構成とすれば、当該抵抗を介して２つのばねスイッチ２１３２間を流れる電流の電圧値が変化するので、当該電圧値に基づいて、制御部９が、光源の種別をより詳細に取得できる。
【００７８】
上記各実施形態では、端子部２１３は、ばねスイッチ２１３２を有するとしたが、本発明はこれに限らない。すなわち、取付部６２４に取り付けられた導通部材６４と接触して、非導通状態から導通状態に変化できれば、他の構成のスイッチでもよい。
【００７９】
上記各実施形態では、動作制御部９３は、光源５１の種別に応じた駆動方式で、光源５１を駆動させるとしたが、本発明はこれに限らない。例えば、光源５１の駆動時の温度が種別によって異なる場合には、当該光源５１の種別に応じた駆動方式で冷却装置７（特にファン７２，７３）を駆動させるように構成してもよい。また、光源５１から出射される光の波長特性が種別によって異なる場合には、光変調装置としての液晶パネル４４２の駆動状態を、光源５１の種別に応じて変更してもよい。すなわち、光源５１の種別に応じてプロジェクターの動作が制御されればよい。
【００８０】
上記各実施形態では、端子部２１３，２１３Ａは、２つのばねスイッチ２１３２が導通状態である場合と非導通状態である場合とで電圧レベルが異なる信号を、制御部９に出力するとしたが、本発明はこれに限らない。すなわち、２つのばねスイッチ２１３２が導通状態であるか、非導通状態であるかを制御部９が把握できれば、端子部２１３，２１３Ａが出力する信号の内容は適宜変更可能である。
【００８１】
上記各実施形態では、判定部９２は、蓋部材により外装筐体２の開口部が閉塞され、かつ、光源装置５が光源収納部２１内に収納されていると判定された場合に、端子部２１３から入力される信号に基づいて、光源５１の種別を判定するとした。しかしながら、本発明はこれに限らない。例えば、判定部９２は、外装筐体２の開口部の閉塞を検出することなく、単に光源装置５の光源収納部２１内への収納が検出された場合に、入力される信号に基づいて、光源５１の種別を判定するように構成してもよい。すなわち、端子部２１３から入力される信号に応じて、判定部９２が光源５１の種別を判定する構成を、電子機器が備えていればよい。
【００８２】
上記各実施形態では、ダクト部材６２内に設けられて、導入口６２１から内部に導入された空気を分流する分流部材は、一端が軸支され、他端が自重によって回動する板状部材であり、当該分流部材に孔部が形成されていることにより、第１ダクト部６２２及び第２ダクト部６２３のそれぞれに空気が導かれるとしたが、本発明はこれに限らない。例えば、分流部材に孔部を形成せずに、第１ダクト部６２２及び第２ダクト部６２３のうち、鉛直方向上側のダクト部に空気を導く構成としてもよい。また、分流部材は、自重によって回動する板状部材に限らず、スライド移動する構成としてもよい。更に、分流部材は無くてもよい。
【００８３】
上記各実施形態では、光学ユニット４は平面視略Ｌ字形状を有した構成を説明したが、これに限らず、例えば、平面視略Ｕ字形状を有した構成を採用してもよい。
上記各実施形態では、プロジェクター１は、３つの液晶パネル４４２（４４２Ｒ，４４２Ｇ，４４２Ｂ）を備えるとしたが、本発明はこれに限らない。すなわち、２つ以下、あるいは、４つ以上の液晶パネルを用いたプロジェクターにも、本発明を適用可能である。
【００８４】
上記各実施形態では、光入射面と光出射面とが異なる透過型の液晶パネル４４２を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００８５】
上記各実施形態では、画像の投射方向と、当該画像の観察方向とが略同じであるフロントタイプのプロジェクターを例示したが、本発明はこれに限らない。例えば、投射方向と観察方向とがそれぞれ反対方向となるリアタイプのプロジェクターにも適用できる。
上記各実施形態では、光源装置５をプロジェクター１に採用した例を挙げたが、本発明はこれに限らない。すなわち、光源装置５を照明装置に採用することも可能である。
【符号の説明】
【００８６】
１…プロジェクター、２…外装筐体、５…光源装置、６…光源用筐体、６Ｂ…側面部、６Ｃ…底面部、６Ｄ…側面部、６Ｅ…正面部、２１…光源収納部、４５…投射光学装置、５１…光源、６１…筐体本体、６２…ダクト部材、６４（６４Ａ，６４Ｂ，６４Ｃ）…導通部材、９２…判定部、９３…動作制御部、２１３，２１３Ａ…端子部、４４２（４４２Ｂ，４４２Ｇ，４４２Ｒ）…液晶パネル（光変調装置）、６２１…導入口、６２２…第１ダクト部、６２３…第２ダクト部、６２４…取付部、６１１Ｂ…第２面部（側面）、２１３２（２１３２Ａ，２１３２Ｂ，２１３２Ｃ）…ばねスイッチ、６１２３…コネクター（接続部）。
【図１】
2014209194.tif 000003
【図２】
2014209194.tif 000004
【図３】
2014209194.tif 000005
【図４】
2014209194.tif 000006
【図５】
2014209194.tif 000007
【図６】
2014209194.tif 000008
【図７】
2014209194.tif 000009
【図８】
2014209194.tif 000010